(57)【要約】【課題】取り付けが容易で、作業効率がよく、漏水を防止し、耐久性が強化され、補修部分が目立たず、かつ環境や人体に無害なコンクリート底版の補修構造を提供する。【解決手段】上面にクラックを有するコンクリート底版と、前記クラックの四方を囲む堰と、前記堰に囲まれたコンクリート底版の上面および前記堰の内壁を覆うように貼着された粘着テープと、前記粘着テープの前記クラックの位置する箇所に、コロイダルシリカ水性分散液を前記クラックに注入するための１個または複数個の注入孔が設けられてなることを特徴とするコンクリート底版の補修構造。【選択図】図２
0003137985.tif 000002
【実用新案登録請求の範囲】
【請求項１】
上面にクラックを有するコンクリート底版と、
前記クラックの四方を囲む堰と、
前記堰に囲まれたコンクリート底版の上面および前記堰の内壁を覆うように貼着された粘着テープと、
前記粘着テープの前記クラックの位置する箇所に、コロイダルシリカ水性分散液を前記クラックに注入するための１個または複数個の注入孔が設けられてなるコンクリート底版の補修構造。
【考案の詳細な説明】
【技術分野】
【０００１】
本考案は、コンクリート底版の補修構造に関する。さらに詳しくは、コンクリート底版に生じたクラックの四方を囲む堰の内側を覆うように貼着された粘着テープに、コロイダルシリカ水性分散液を注入するための注入孔が設けられたコンクリート底版の補修構造に関する。
【背景技術】
【０００２】
コンクリート構造物は、温度応力や乾燥収縮によりクラックが生じ、前記構造物の強度の低下や漏水の原因となる。
【０００３】
このようなコンクリート構造物に生じたクラックの補修方法として、従来から前記クラックに樹脂や微粒子セメントを充填して水の進入を阻止し漏水を防止する方法が採用されている。また、例えば、特許文献１には、コロイダルシリカ水性分散液を、前記クラックにスプレーや刷毛を用いて塗布し、もしくは逆止弁やコンプレッサなどを用いて注入することにより浸透させて、コンクリート内部の防水結晶体の生成を促進し、前記クラックを補修する方法が提案されている。
【０００４】
【特許文献１】特開２００６−１６９８４２号公報
【考案の開示】
【考案が解決しようとする課題】
【０００５】
しかし、前記の樹脂を充填する方法は、樹脂が高粘度を有するため、樹脂を前記クラックの微細部にまで充填することができない。また、補修部分の表面には、樹脂を注入した痕跡が残るため、外観上の印象も好ましくない。
【０００６】
また、微粒子セメントを前記クラックの表面に充填しても外表面のクラックが埋められるに過ぎず、コンクリート内部の耐久性・防水性を向上させる効果は得られない。
【０００７】
一方、前記のコロイダルシリカ水性分散液を、スプレーや刷毛を用いて、前記クラックの外表面に塗布して浸透する方法は、前記クラックの微細部にまで前記分散液を充分に浸透させることができないため、コンクリート底版内部にクラックが残存し、所定の強度を得ることができず、また、漏水を防止することができないという問題がある。また、圧力をかけて、前記クラックの微細部に前記分散液を注入する方法では、逆止弁、注入器具、注入用ポンプ等の器具を用いるため、専門的な技術が必要とされ、手間とコストがかかる。また、前記分散液の注入箇所以外のクラックを通じて、コンクリート底版の外表面に前記分散液が漏出し、前記分散液を浪費してしまうという問題がある。
【０００８】
本考案は、上記従来の問題に鑑みてなされたものであり、従来の方法と比較して簡易かつ迅速に、コンクリート底版の補修を可能とするコンクリート底版の補修構造を提供することを目的としている。
【課題を解決するための手段】
【０００９】
本考案のコンクリート底版の補修構造は、上面にクラックを有するコンクリート底版と、前記クラックの四方を囲む堰と、前記堰に囲まれたコンクリート底版の上面および前記堰の内壁を覆うように貼着された粘着テープと、前記粘着テープの前記クラックの位置する箇所に、コロイダルシリカ水性分散液を前記クラックに注入するための１個または複数個の注入孔が設けられてなることを特徴とする。
【考案の効果】
【００１０】
本考案のコンクリート底版の補修構造は、上面にクラックを有するコンクリート底版と、前記クラックの四方を囲む堰と、前記堰の内側を覆うように貼着された粘着テープと、前記粘着テープの前記クラックの位置する箇所に、コロイダルシリカ水性分散液を前記クラックに注入するための１個または複数個の注入孔とから構成されるが、前記粘着テープはコンクリート底版からの着脱が容易であるので、コンクリート底版の補修作業を簡易かつ迅速に行うことができる。また、前記クラックの四方は堰で囲まれ、前記堰の内側は粘着テープで覆われていることから、前記分散液は前記粘着テープに設けられた注入孔以外に漏出せず、前記分散液を無駄なく効率的に前記クラックに浸透させることができる。これにより、前記分散液とコンクリート成分の化学反応により結晶体が形成された補修箇所は、耐久性・防水性が向上すると共に、内部の緻密化作用により表面劣化も防止できる。
【００１１】
さらに、前記分散液は、コンクリート底版に浸透する無色の液体であるため、補修部分が目立たず、外観の印象を美しく仕上げることができる。
【００１２】
前記補修作業に用いる前記コロイダルシリカ水性分散液は、環境や人体に無害であるので、廃液処理しやすく安全である。
【考案を実施するための最良の形態】
【００１３】
以下、添付図面を参照して、本考案を詳細に説明する。
【００１４】
図１は、本考案のコンクリート底版の補修構造の一実施態様における上面図であり、図２は、図１のＡ−Ａ断面図である。
【００１５】
図１および図２に示されるように、本考案のコンクリート底版の補修構造Ｓは、上面にクラック２を有するコンクリート底版１と、前記クラック２の四方を囲む堰４と、前記堰４に囲まれたコンクリート底版１の上面および前記堰４の内壁を覆うように貼着された粘着テープ３と、前記粘着テープ３の前記クラック２の位置する箇所に、コロイダルシリカ水性分散液７を前記クラック２に注入するための複数個の注入孔５とから構成されている。
【００１６】
コンクリート底版１の上面には、温度応力や乾燥収縮により幅約０．０１〜０．３ｍｍの微細なクラック２が生じており、前記クラック２の四方を取り囲むように堰４が設けられる。これにより、コンクリート底版１の上面に前記堰４によって囲まれた凹部６が形成され、前記凹部６に前記コロイダルシリカ水性分散液７を溜めることができる。なお、本考案の実施の態様はコンクリート底版１に生じたクラック２の補修構造であるが、前記底版１はコンクリート頂版を含む概念である。
【００１７】
本考案の実施の態様では、前記堰４で囲まれた前記凹部６の幅は、５０ｍｍとしているが、前記クラック２の大きさに応じて、例えば、約１０〜２００ｍｍの範囲で自由に変更することができる。また、前記凹部６の長さは、クラック２の長さに応じて、自由に変更できる。
【００１８】
また、前記クラック２の一方または両方の末端が、コンクリート側壁が構成されるコンクリート底版１の端にまで達している場合には、前記堰４の一部をコンクリート側壁で代用することができる。
【００１９】
前記堰４は、テープを用いて形成することができるが、図１および２のように、角材を用いてもよい。本考案のコンクリート底版の補修構造の一実施態様では、縦幅１０ｍｍ、横幅１０ｍｍの角材を使用しているが、これに限定されるものではなく、角材の大きさ、長さは、クラック２の長さに応じて、自由に変更できる。
【００２０】
前記粘着テープ３は、前記堰４に囲まれた凹部６、すなわちコンクリート底版１の上面および前記堰４の内壁を覆うように貼着される。これにより、前記凹部６に溜められた前記コロイダルシリカ水性分散液７は前記凹６部外に漏出しない。
【００２１】
前記粘着テープ３の前記クラック２の位置する箇所には、前記コロイダルシリカ水性分散液７を前記クラックに注入するために、直径は５ｍｍからなる注入孔５が５個設けられている。前記注入孔５の個数、直径および前記注入孔５の間隔は、前記クラック２の幅、長さに応じて、自由に変更することができ、本考案の実施の態様に限定されるものではない。前記注入孔５は、前記粘着テープ３の貼着後、パンチを用いて粘着テープ３をくり貫くことにより設けられる。なお、コンクリート底版１に貼着される粘着テープ３には、前記クラック２の位置する箇所に確実に注入孔５を設けるため、透明の粘着テープ３が用いられるが、それに限定されるものではなく、当業者に自明の各種テープを用いることができる。
【００２２】
図２に示されるように、前記クラック２を補修するための前記コロイダルシリカ水性分散液７は、注入器具８を用いて前記堰４によって囲まれた前記凹部６に注入される。前記注入器具８として、噴霧器、柄杓、シリンジなど当業者に自明の注入器具８が用いられる。
【００２３】
前記コロイダルシリカ水性分散液７は、前記凹部６に溜められ、前記注入孔５から前記クラック２に注入され、浸透していく。浸透状況によって、前記コロイダルシリカ水性分散液７を前記凹部６に補充するが、前記凹部６内の容積を大きくすることにより、前記コロイダルシリカ水性分散液７の補充回数を少なくすることができるため、効率的である。
【００２４】
前記クラック２に浸透した前記コロイダルシリカ水性分散液７は、注入直後からコンクリート成分と化学反応して防水結晶体の形成を開始するが、流動性を失う程度に凝固するには、数時間から約１日を要する。そのため、前記コロイダルシリカ水性分散液７の充填時には結晶化することなく前記クラック２の微細部に充分に浸透し、コンクリート底版１の補修箇所の耐久性を効率よく強化することができる。また、前記コロイダルシリカ水性分散液７は、コンクリート底版中に浸透する無色の液体であるため、補修箇所が目立たず美しい仕上がりとなる。作業終了後に、前記粘着テープ３をコンクリート底版１から剥がし、堰４を撤去するだけで前記補修作業は終了する。したがって、特殊な機材、設備を扱う必要がなく、専門的な技術も不要であるので、簡易かつ迅速に前記補修作業を行うことができる。
【００２５】
以上、本考案のコンクリート底版の補修構造は、前記コンクリート底版に、堰と粘着テープにより凹部を設け、前記凹部内の注入孔からコロイダルシリカ水性分散液をクラックに注入し、浸透させることができる。これにより、補修作業を簡易かつ迅速に行うことができるコンクリート底版の補修構造を提供することができる。また、前記コロイダルシリカ水性分散液は前記注入孔以外に漏出しないため、無駄がなく効率的な補修作業を行うことができる。さらに、前記コロイダルシリカ水性分散液は、コンクリート底版中に浸透する無色の液体であるため、補修部分が目立たず、環境や人体に無害である。
【図面の簡単な説明】
【００２６】
【図１】本考案のコンクリート底版の補修構造の一実施態様における上面図である。
【図２】図１のＡ−Ａ断面図である。
【符号の説明】
【００２７】
Ｓ    コンクリート底版の補修構造
１    コンクリート底版
２    クラック
３    粘着テープ
４    堰
５    注入孔
６    凹部
７    コロイダルシリカ水性分散液
８    注入器具
【図１】
0003137985.tif 000003
【図２】
0003137985.tif 000004